(57)【要約】【課題】どのような使用環境においても安定して脱臭運転を行うことのできる電気脱臭機を提供する。【解決手段】脱臭成分を発生させる脱臭成分発生デバイス９と、前記脱臭成分発生デバイス９近傍に配された温度検知手段２０と湿度検知手段２８とを備え、前記脱臭成分発生デバイス９近傍の温湿度が所定の温湿度よりも低い場合には、前記脱臭成分発生デバイス９近傍の温湿度が所定の温湿度以上になるまで運転時間を延長するもので、衣類などを確実に脱臭することができる。【選択図】図３
2020044143.tif 000002
【特許請求の範囲】
【請求項１】
脱臭成分を発生させる脱臭成分発生デバイスと、前記脱臭成分発生デバイス近傍に配された温度検知手段と湿度検知手段とを備え、前記脱臭成分発生デバイス近傍の温湿度が所定の温湿度よりも低い場合には、前記脱臭成分発生デバイス近傍の温湿度が所定の温湿度以上になるまで運転時間を延長することを特徴とした電気脱臭機。
【請求項２】
脱臭成分発生デバイス近傍に加熱手段および加湿手段を設け、前記脱臭成分発生デバイス近傍の温湿度が所定の温湿度以下の場合に前記加熱手段および前記加湿手段を動作させることを特徴とした請求項１に記載の電気脱臭機。
【発明の詳細な説明】
【技術分野】
【０００１】
本発明は、帯電微粒子水、空気イオン、オゾンなどの脱臭成分を生成する脱臭成分発生デバイスを備え衣類等を吊るすハンガーや靴の中に挿入する電気脱臭機に関するものである。
【背景技術】
【０００２】
従来、この種の電気脱臭機では、脱臭成分発生デバイスの周囲環境が低温である場合、脱臭成分発生デバイスの電極に十分な水分が結露しないため脱臭成分の発生量が減少し、十分な効果が得られなくなる。そこで、脱臭成分発生デバイス近傍に温度検知手段と熱交換手段を配し、温度が所定値より低いときには熱交換手段を動作させることにより脱臭成分発生デバイスの電極近傍の温度を上昇させて確実に脱臭成分を発生させるようにした電気脱臭機を備えた電気掃除機が提案されている（例えば、特許文献１参照）。
【０００３】
また、脱臭成分発生デバイスの周囲環境が乾燥している場合、脱臭成分発生デバイスの電極に十分な水分が結露しないため、脱臭成分の発生量が減少し、十分な効果が得られない。そこで脱臭成分発生デバイス近傍に湿度検知手段と加湿手段を配し、湿度が所定値より低いとき加湿手段により湿度を上昇させて確実に脱臭成分を発生させるようにした電気脱臭機を備えた電気掃除機も提案されている（例えば、特許文献２参照）。
【先行技術文献】
【特許文献】
【０００４】
【特許文献１】特開２０１１−２００３７０号公報
【特許文献２】特開２０１３−０５２００６号公報
【発明の概要】
【発明が解決しようとする課題】
【０００５】
しかしながら、電気脱臭機の使用環境は主に室内であり、前記脱臭成分発生デバイスが作動しなくなるほどの低温低湿な環境となることはほとんどない。しかしながら、極まれに低温低湿な環境となる場合も想定されるが、そのような環境下では、上記特許文献１、２に記載されたような従来の電気脱臭機の脱臭成分発生デバイスが作動せずに、脱臭を行う対象の服や靴などの匂いが十分に取り去ることができなくなってしまうという課題を有していた。
【０００６】
本発明は、前記従来の課題を解決するもので、どのような環境においても十分な脱臭性能を備えた電気脱臭機を使用者に提供することを目的とする。
【課題を解決するための手段】
【０００７】
前記従来の課題を解決するために、本発明の電気脱臭機は、脱臭成分を発生させる脱臭成分発生デバイスと、前記脱臭成分発生デバイス近傍に配された温度検知手段と湿度検知手段とを備え、前記脱臭成分発生デバイス近傍の温湿度が所定の温湿度よりも低い場合には、前記脱臭成分発生デバイス近傍の温湿度が所定の温湿度以上になるまで運転時間を延長するもので、衣類などを確実に脱臭することができる。
【発明の効果】
【０００８】
本発明の電気脱臭機は、冬場などで人気のない玄関などの場所で使用された場合でも、衣類などを確実に脱臭することができる。
【図面の簡単な説明】
【０００９】
【図１】本発明の実施の形態１における電気脱臭機の斜視図
【図２】同電気脱臭機の側断面図
【図３】同電気脱臭機のブロック図
【図４】同電気脱臭機の脱臭成分発生デバイス及びその周辺の概略図
【発明を実施するための形態】
【００１０】
第１の発明は、脱臭成分を発生させる脱臭成分発生デバイスと、前記脱臭成分発生デバイス近傍に配された温度検知手段と湿度検知手段とを備え、前記脱臭成分発生デバイス近傍の温湿度が所定の温湿度よりも低い場合には、前記脱臭成分発生デバイス近傍の温湿度が所定の温湿度以上になるまで運転時間を延長するもので、衣類などを確実に脱臭することができる。
【００１１】
第２の発明は、特に、第１の発明の脱臭成分発生デバイス近傍に加熱手段および加湿手段を設け、前記脱臭成分発生デバイス近傍の温湿度が所定の温湿度以下の場合に前記加熱手段および前記加湿手段を動作させるもので、脱臭成分発生デバイスを確実に動作させることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における電気脱臭機の斜視図、図２は、同電気脱臭機の側断面図、図３は、同電気脱臭機のブロック図、図４は、同電気脱臭機の脱臭成分発生デバイス及びその周辺の概略図である。
【００１４】
電気脱臭機には、脱臭成分発生デバイスを内部に備えたハンガータイプのものと、靴の開口部に脱臭成分を吹出すものや、それ以外の形状のものが考えられるが、ここではその代表としてハンガータイプの電気脱臭機について説明を行う。
【００１５】
図１において、本実施の形態における電気脱臭機１は、棒状のアーム部２と、アーム部２の長手方向の少なくとも中心付近かつ周方向の一部に設けられるネック部３と、ネック部３に設けられるフック部４と、表示手段５と、操作手段６と、電源供給手段７と、吸込みスリット８を備えている。少なくともアーム部２とネック部３のいずれかに内包される脱臭成分発生デバイス９と、少なくともネック部３が設けられていない面に設けられる活性種吹き出しスリット１０を有している。
【００１６】
図２において、電気脱臭機１の内部には、脱臭成分発生デバイス９と、脱臭成分発生デバイス９から発生した活性種を活性種吹き出しスリット１０を通して電気脱臭機１の外部に放出させるための送風ファン１１と、脱臭成分発生デバイス９および送風ファン１１の動作を制御するための制御手段１２と、脱臭成分発生デバイス９を制御するための脱臭成分発生デバイス制御手段１３が配置されている。
【００１７】
図３、４において、電源供給手段７は、ＡＣアダプタ（図示せず）などにより交流商用電源を直流５Ｖなどに変換したものをＵＳＢケーブルなどを介して電源供給を行うものである。電源供給手段７には、ＵＳＢケーブル以外にも丸型ジャック等を使用したり、商用電源を直接取り込むことも考えられる。さらにモバイル用バッテリー等の電池により電源を供給することもできる。
【００１８】
供給された電源は、電源手段２４により負荷にあわせた電圧に変換する。一例として直
流５Ｖで供給された電源を５Ｖのままで制御手段１２を駆動し、電源手段２４により１３．８Ｖに昇圧し脱臭成分発生デバイス９及び送風ファン１１を駆動させるなどをすることができる。
【００１９】
また、１００Ｖを、５Ｖと１３．８Ｖに降圧させて制御手段１２、負荷を駆動させる方法も考えることができる。脱臭成分発生デバイス制御手段１３は、脱臭成分発生デバイス９を動作させるもので、制御手段１２が駆動することで脱臭成分発生デバイス制御手段１３に電力が供給される。脱臭成分発生デバイス制御手段１３に、電力が供給されると、高圧発生手段１５によって、針状放電極１７とアース電極１８間に高電圧を印加し、さらに電極冷却手段であるペルチェ素子１９に電圧を印加する。湿度検知手段２８と温度検知手段２０で検知した湿度、温度は、制御手段１２にフィードバックされる。
【００２０】
以上のように構成された本実施の形態における電気脱臭機１の動作、作用を、以下に説明する。
【００２１】
使用者が、電源供給手段７にＡＣアダプタ等に接続されたＵＳＢケーブル（図示せず）を接続することにより電気脱臭機１に５Ｖを供給する。すると電源手段２４に通電されることにより制御手段１２が駆動する。
【００２２】
次に使用者が操作手段６であるスイッチを押すことにより、制御手段１２から電源手段２４を駆動させる信号を発生させる。電源手段２４は、電源供給手段７から供給された５Ｖを１３．８Ｖに昇圧する。昇圧された電源は、送風ファン１１および脱臭成分発生デバイス制御手段１３に電圧が印加される。
【００２３】
電圧が印加された脱臭成分発生デバイス制御手段１３は、高圧発生手段１５にて高圧を出力し、脱臭成分発生デバイス９の針状放電極１７とアース電極１８間に印加する。また、直流電源手段１６にて、ペルチェ素子１９に電圧を出力して、針状放電極１７を冷却させる。針状放電極１７が冷却されると針状放電極１７周辺の水分が結露して、針状放電極１７の表面に水が生成される。水に高電圧が印加されると脱臭成分としての活性種が発生する。
【００２４】
またこのとき制御手段１２から表示手段５へ信号を送りＬＥＤ等の表示を行い、使用者へ動作していることを報知する。
【００２５】
アーム部２にかけたスーツの上着（図示せず）などに、脱臭成分発生デバイス９から発生する活性種を送風ファン１１によって活性種吹き出しスリット１０を通してあてることによりスーツの上着などに付着した臭気成分を除去することができるが、使用者が臭気成分を除去できたと認識できるまでには約４時間、脱臭成分発生デバイス９を駆動させる必要がある。
【００２６】
臭気を除去するものが厚手のコート等の場合４時間で臭気を除去できない場合が考えられる。そのようなときのために操作手段６を所定時間操作する、すなわち操作手段６のスイッチを所定時間押すことにより、長時間運転するモードへ移行し、それにあわせて表示手段５も色の違うＬＥＤを点灯させる等行い使用者へ報知することができる。
【００２７】
脱臭成分発生デバイス９の特性として、針状放電極１７の表面に空気中に含まれる水分を結露させて、十分な水滴を発生させる必要がある。脱臭成分発生デバイス９近傍の温度が低い場合、水分が凍りやすくなるために空気中の水分が結露しにくくなる。また、脱臭成分発生デバイス９近傍の湿度が低い場合、空気中の水分は少ないため結露がしにくくなってしまう。
【００２８】
脱臭成分発生デバイス９の性能を十分に発揮させるためには、空気中の水分が十分に結露できる温度及び湿度が必要となってくる。しかしながら、電気脱臭機を使用する場合、冬場にウォークインクローゼットや玄関のような温度および湿度の低い場所で使用するということが容易に考えることができる。このような環境で使用された場合、脱臭成分発生デバイス９の動作は不安定になり、このような状態になると臭気を除去するための性能を確保することができなくなってしまうおそれがある。
【００２９】
ここで、脱臭成分発生デバイス９近傍に設けた温度検知手段２０及び湿度検知手段２８によって脱臭成分発生デバイス９近傍の温度と湿度を検出し、温度および湿度が所定の値以下の場合、脱臭成分発生デバイス９が作動していないと判断し、運転時間のカウントを停止させる。
【００３０】
また、その間は、送風ファン１１のみ動作させるのもとする。この状態で運転をつづけていき、脱臭成分発生デバイス９近傍の温湿度が所定の値以上になったときに再び運転時間のカウントを開始させるようにする。これにより電気脱臭機としての合計の運転時間が増えてしまうが、脱臭成分発生デバイス９が十分に効果を発揮させる時間の運転を行うことができるため、電気脱臭機の運転終了時には満足できる脱臭効果を得ることができるようになる。
【００３１】
また、脱臭成分発生デバイス９近傍の温湿度が所定の値よりも低いままの状態も考えられるが、その場合、脱臭成分発生デバイス９は不安定な状態ではあるがそのまま動作させ脱臭成分を少しでも放出させるようにし、同時に送風ファン１１は通常運転と同じように動作を続けるように制御を行う。これにより脱臭成分発生デバイス９近傍の温湿度が低く脱臭成分発生デバイス９の動作が不安定な場合でも送風ファン１１により電気脱臭機によって脱臭を行いたい服や靴などに少なくとも風を送ることができるようになる。風のみでも臭気発生箇所に当てた場合、無風の状態にくらべて臭気が拡散し臭気発生箇所の匂いが薄まるため、使用者が脱臭したい服や靴の匂いも不十分ながら減衰させることができるようになる。
【００３２】
また、図３に示すように、脱臭成分発生デバイス９近傍に加熱手段２１および加湿手段２２を配し、温度検知手段２０と湿度検知手段２８で脱臭成分発生デバイス９近傍の温湿度を検出し、温湿度が所定の値以下の場合に、加熱手段２１と加湿手段２２を動作させて脱臭成分発生デバイス９近傍の温湿度を所定の温湿度以上の値にするようにすれば、脱臭成分発生デバイス９を確実に動作させることができるので、電気脱臭機１の運転時間を不自然な長さに延長することなく脱臭を行うことができるようになる。
【産業上の利用可能性】
【００３３】
以上のように、本発明にかかる電気脱臭機は、どのような使用環境においても安定した脱臭効果を期待することができるため、脱臭成分発生デバイスを使用する各種製品において有用なものである。
【符号の説明】
【００３４】
１  電気脱臭機
２  アーム部
３  ネック部
４  フック部
５  表示手段
６  操作手段
７  電源供給手段
８  吸込みスリット
９  脱臭成分発生デバイス
１０  活性種吹き出しスリット
１１  送風ファン
１２  制御手段
１３  脱臭成分発生デバイス制御手段
１５  高圧発生手段
１６  直流電源手段
１７  針状放電極
１８  アース電極
１９  ペルチェ素子（電極冷却手段）
２０  温度検知手段
２１  加熱手段
２２  加湿手段
２４  電源手段
２８  湿度検知手段
【図１】
2020044143.tif 000003
【図２】
2020044143.tif 000004
【図３】
2020044143.tif 000005
【図４】
2020044143.tif 000006